(57)【要約】      （修正有）【課題】ユーザが指定する任意のエリアの混雑状況に関する情報を、ユーザに提供する。【解決手段】通信システム１において、端末１０は、地図情報を表示し、入力信号により当該地図情報内のエリアが指定されると、サーバ２０、４０に当該エリア情報を送信し、サーバ２０、４０は、エリアの少なくとも一部をカバーする基地局６０にエリア情報を送信し、基地局６０は、自局のカバーエリア内に位置する移動局７０にエリア情報を送信し、移動局７０は、自局の位置情報を取得し、エリア情報と位置情報とに基づいて、自局がエリア内に位置すると判断した場合、基地局６０に応答情報を送信し、基地局６０は、当該応答情報をサーバ２０、４０に送信し、サーバ２０、４０は、当該応答情報に基づいてエリア内に位置する移動局７０の数を算出し、端末１０に当該移動局７０の数に関する情報を送信する。【選択図】図１
2013176012.tif 000002
【特許請求の範囲】
【請求項１】
端末、サーバ、複数の基地局、及び複数の移動局を備えた通信システムにおいて、
前記端末は、地図情報を表示し、入力信号により当該地図情報内のエリアが指定されると、当該エリアに対応するエリア情報を生成して、前記サーバに当該エリア情報を送信し、
前記サーバは、前記端末から前記エリア情報を受信すると、前記エリアの少なくとも一部をカバーする基地局に前記エリア情報を送信し、
前記基地局は、前記サーバから前記エリア情報を受信すると、自局のカバーエリア内に位置する移動局に前記エリア情報を送信し、
前記移動局は、前記基地局から前記エリア情報を受信すると、自局の位置情報を取得し、前記エリア情報と前記位置情報とに基づいて、自局が前記エリア内に位置すると判断した場合、前記基地局に応答情報を送信し、
前記基地局は、前記移動局から前記応答情報を受信すると、当該応答情報を前記サーバに送信し、
前記サーバは、前記基地局から前記応答情報を受信すると、当該応答情報に基づいて前記エリア内に位置する移動局の数を算出し、前記端末に当該移動局の数に関する情報を送信することを特徴とする通信システム。
【請求項２】
端末、サーバ、複数の基地局、及び複数の移動局を備えた通信システムにおいて、
前記端末は、地図情報を表示し、入力信号により当該地図情報内のエリアが指定されると、当該エリアに対応するエリア情報を生成し、前記サーバに当該エリア情報を送信し、
前記サーバは、前記端末から前記エリア情報を受信すると、前記エリアの少なくとも一部をカバーする基地局に移動局位置情報取得要求を送信し、
前記基地局は、前記サーバから前記移動局位置情報取得要求を受信すると、自局のカバーエリア内に位置する移動局に前記移動局位置情報取得要求を送信し、
前記移動局は、前記基地局から前記移動局位置情報取得要求を受信すると、自局の位置情報を取得して、前記基地局に当該位置情報を含む応答情報を送信し、
前記基地局は、前記移動局から前記応答情報を受信すると、当該応答情報を前記サーバに送信し、
前記サーバは、前記基地局から前記応答情報を受信すると、前記エリア情報と当該応答情報とに基づいて前記エリア内に位置する移動局の数を算出し、前記端末に当該移動局の数に関する情報を送信することを特徴とする通信システム。
【請求項３】
前記サーバは、前記エリア情報に基づいて前記エリアを複数の領域に細分化し、前記応答情報に基づいて前記各領域内に位置する移動局の数をそれぞれ算出し、前記端末に当該各領域内に位置する移動局の数に関する情報を送信することを特徴とする請求項１又は２に記載の通信システム。
【請求項４】
端末、サーバ、複数の基地局、及び複数の移動局を備えた通信システムにおいて、
前記端末は、地図情報を表示し、入力信号により、当該地図情報内のエリア、移動局の数に関する情報の通知条件、及び当該移動局の数に関する情報の通知先が指定されると、当該エリアに対応するエリア情報を生成して、前記サーバに当該エリア情報、前記通知条件、及び前記通知先を送信し、
前記サーバは、前記端末から前記エリア情報、前記通知条件、及び前記通知先を受信すると、定期的に、前記エリア情報に対応するエリアの少なくとも一部をカバーする基地局に前記エリア情報を送信し、
前記基地局は、前記サーバから前記エリア情報を受信すると、自局のカバーエリア内に位置する移動局に前記エリア情報を送信し、
前記移動局は、前記基地局から前記エリア情報を受信すると、自局の位置情報を取得し、前記エリア情報と前記位置情報とに基づいて、自局が前記エリア内に位置すると判断した場合、前記基地局に応答情報を送信し、
前記基地局は、前記移動局から前記応答情報を受信すると、当該応答情報を前記サーバに送信し、
前記サーバは、前記基地局から前記応答情報を受信すると、当該応答情報に基づいて前記エリア内に位置する移動局の数を算出し、前記移動局の数に関する情報が前記通知条件を満たす場合に、前記通知先に当該移動局の数に関する情報を送信することを特徴とする通信システム。
【請求項５】
端末、サーバ、複数の基地局、及び複数の移動局を備えた通信システムにおいて、
前記端末は、地図情報を表示し、入力信号により、当該地図情報内のエリア、移動局の数に関する情報の通知条件、及び当該移動局の数に関する情報の通知先が指定されると、当該エリアに対応するエリア情報を生成して、前記サーバに当該エリア情報、前記通知条件、及び前記通知先を送信し、
前記サーバは、前記端末から前記エリア情報、前記通知条件、及び前記通知先を受信すると、定期的に、前記エリア情報に対応するエリアの少なくとも一部をカバーする基地局に移動局位置情報取得要求を送信し、
前記基地局は、前記サーバから前記移動局位置情報取得要求を受信すると、自局のカバーエリア内に位置する移動局に前記移動局位置情報取得要求を送信し、
前記移動局は、前記基地局から前記移動局位置情報取得要求を受信すると、自局の位置情報を取得して、前記基地局に当該位置情報を含む応答情報を送信し、
前記基地局は、前記移動局から前記応答情報を受信すると、当該応答情報を前記サーバに送信し、
前記サーバは、前記基地局から前記応答情報を受信すると、当該応答情報に基づいて前記エリア内に位置する移動局の数を算出し、前記移動局の数に関する情報が前記通知条件を満たす場合に、前記通知先に当該移動局の数に関する情報を送信することを特徴とする通信システム。
【請求項６】
前記サーバは、前記エリア情報に基づいて前記エリアを複数の領域に細分化し、前記応答情報に基づいて前記各領域内に位置する移動局の数をそれぞれ算出し、前記領域内に位置する移動局の数に関する情報が前記通知条件を満たす場合に、前記通知先に前記各領域内に位置する移動局の数に関する情報を送信することを特徴とする請求項４又は５に記載の通信システム。
【請求項７】
端末、サーバ、複数の基地局、及び複数の移動局を備えた通信システムにおける通信方法であって、
前記端末が、地図情報を表示し、入力信号により当該地図情報内のエリアが指定されると、当該エリアに対応するエリア情報を生成して、前記サーバに当該エリア情報を送信するステップと、
前記サーバが、前記端末から前記エリア情報を受信すると、前記エリアの少なくとも一部をカバーする基地局に前記エリア情報を送信するステップと、
前記基地局が、前記サーバから前記エリア情報を受信すると、自局のカバーエリア内に位置する移動局に前記エリア情報を送信するステップと、
前記移動局が、前記基地局から前記エリア情報を受信すると、自局の位置情報を取得し、前記エリア情報と前記位置情報とに基づいて、自局が前記エリア内に位置すると判断した場合、前記基地局に応答情報を送信するステップと、
前記基地局が、前記移動局から前記応答情報を受信すると、当該応答情報を前記サーバに送信するステップと、
前記サーバが、前記基地局から前記応答情報を受信すると、当該応答情報に基づいて前記エリア内に位置する移動局の数を算出し、前記端末に当該移動局の数に関する情報を送信するステップと、
を含むことを特徴とする通信方法。
【請求項８】
端末、サーバ、複数の基地局、及び複数の移動局を備えた通信システムにおける通信方法であって、
前記端末が、地図情報を表示し、入力信号により当該地図情報内のエリアが指定されると、当該エリアに対応するエリア情報を生成し、前記サーバに当該エリア情報を送信するステップと、
前記サーバが、前記端末から前記エリア情報を受信すると、前記エリアの少なくとも一部をカバーする基地局に移動局位置情報取得要求を送信するステップと、
前記基地局が、前記サーバから前記移動局位置情報取得要求を受信すると、自局のカバーエリア内に位置する移動局に前記移動局位置情報取得要求を送信するステップと、
前記移動局が、前記基地局から前記移動局位置情報取得要求を受信すると、自局の位置情報を取得して、前記基地局に当該位置情報を含む応答情報送信するステップと、
前記基地局が、前記移動局から前記応答情報を受信すると、当該応答情報を前記サーバに送信するステップと、
前記サーバが、前記基地局から前記応答情報を受信すると、前記エリア情報と当該応答情報とに基づいて前記エリア内に位置する移動局の数を算出し、前記端末に当該移動局の数に関する情報を送信するステップと、
を含むことを特徴とする通信方法。
【請求項９】
端末、サーバ、複数の基地局、及び複数の移動局を備えた通信システムにおける通信方法であって、
前記端末が、地図情報を表示し、入力信号により、当該地図情報内のエリア、移動局の数に関する情報の通知条件、及び当該移動局の数に関する情報の通知先が指定されると、当該エリアに対応するエリア情報を生成して、前記サーバに当該エリア情報、前記通知条件、及び前記通知先を送信するステップと、
前記サーバが、前記端末から前記エリア情報、前記通知条件、及び前記通知先を受信すると、定期的に、前記エリア情報に対応するエリアの少なくとも一部をカバーする基地局に前記エリア情報を送信するステップと、
前記基地局が、前記サーバから前記エリア情報を受信すると、自局のカバーエリア内に位置する移動局に前記エリア情報を送信するステップと、
前記移動局が、前記基地局から前記エリア情報を受信すると、自局の位置情報を取得し、前記エリア情報と前記位置情報とに基づいて、自局が前記エリア内に位置すると判断した場合、前記基地局に応答情報を送信するステップと、
前記基地局が、前記移動局から前記応答情報を受信すると、当該応答情報を前記サーバに送信するステップと、
前記サーバが、前記基地局から前記応答情報を受信すると、当該応答情報に基づいて前記エリア内に位置する移動局の数を算出し、前記移動局の数に関する情報が前記通知条件を満たす場合に、前記通知先に当該移動局の数に関する情報を送信するステップと、
を含むことを特徴とする通信方法。
【請求項１０】
端末、サーバ、複数の基地局、及び複数の移動局を備えた通信システムにおける通信方法であって、
前記端末が、地図情報を表示して、入力信号により、当該地図情報内のエリア、移動局の数に関する情報の通知条件、及び当該移動局の数に関する情報の通知先が指定されると、当該エリアに対応するエリア情報を生成し、前記サーバに当該エリア情報、前記通知条件、及び前記通知先を送信するステップと、
前記サーバが、前記端末から前記エリア情報、前記通知条件、及び前記通知先を受信すると、定期的に、前記エリア情報に対応するエリアの少なくとも一部をカバーする基地局に移動局位置情報取得要求を送信するステップと、
前記基地局が、前記サーバから前記移動局位置情報取得要求を受信すると、自局のカバーエリア内に位置する移動局に前記移動局位置情報取得要求を送信するステップと、
前記移動局が、前記基地局から前記移動局位置情報取得要求を受信すると、自局の位置情報を取得して、前記基地局に当該位置情報を含む応答情報を送信するステップと、
前記基地局が、前記移動局から前記応答情報を受信すると、当該応答情報を前記サーバに送信するステップと、
前記サーバが、前記基地局から前記応答情報を受信すると、当該応答情報に基づいて前記エリア内に位置する移動局の数を算出し、前記移動局の数に関する情報が前記通知条件を満たす場合に、前記通知先に当該移動局の数に関する情報を送信するステップと、
を含むことを特徴とする通信方法。
【発明の詳細な説明】
【技術分野】
【０００１】
本発明は、位置情報取得機能を搭載した移動局を用いた通信システム及び通信方法に関するものである。
【背景技術】
【０００２】
従来から、位置情報を取得するためのＧＰＳ機能を搭載した携帯電話端末を用いて、様々なサービスを提供するための技術が提案されている。例えば、ＧＰＳ機能を搭載した複数の移動局から位置情報を取得し、当該移動局のうち通信システム側に予め設定されたエリア内に位置するものの数を求めて、当該エリアの混雑状況を判定し、当該混雑状況に関する情報を当該移動局に通知する技術が提案されている（例えば、特許文献１）。
【先行技術文献】
【特許文献】
【０００３】
【特許文献１】特開２００３−２８８６６３号公報
【発明の概要】
【発明が解決しようとする課題】
【０００４】
しかしながら、特許文献１に開示のように予め通信システム側に設定されたエリアの混雑状況を求める技術を用いる場合、ユーザは、設定エリアの一部の領域における混雑状況や、複数の設定エリアをまたぐ領域における混雑状況については知ることができず、推測するしかなかった。
【０００５】
したがって、かかる点に鑑みてなされた本発明の目的は、ユーザが指定する任意のエリアの混雑状況に関する情報を、ユーザに提供し得る通信システム及び通信方法を提供することにある。
【課題を解決するための手段】
【０００６】
上記目的を達成する第１の観点に係る通信システムの発明は、
端末、サーバ、複数の基地局、及び複数の移動局を備えた通信システムにおいて、
前記端末は、地図情報を表示し、入力信号により当該地図情報内のエリアが指定されると、当該エリアに対応するエリア情報を生成して、前記サーバに当該エリア情報を送信し、
前記サーバは、前記端末から前記エリア情報を受信すると、前記エリアの少なくとも一部をカバーする基地局に前記エリア情報を送信し、
前記基地局は、前記サーバから前記エリア情報を受信すると、自局のカバーエリア内に位置する移動局に前記エリア情報を送信し、
前記移動局は、前記基地局から前記エリア情報を受信すると、自局の位置情報を取得し、前記エリア情報と前記位置情報とに基づいて、自局が前記エリア内に位置すると判断した場合、前記基地局に応答情報を送信し、
前記基地局は、前記移動局から前記応答情報を受信すると、当該応答情報を前記サーバに送信し、
前記サーバは、前記基地局から前記応答情報を受信すると、当該応答情報に基づいて前記エリア内に位置する移動局の数を算出し、前記端末に当該移動局の数に関する情報を送信することを特徴とするものである。
【０００７】
上記目的を達成する第２の観点に係る通信システムの発明は、
端末、サーバ、複数の基地局、及び複数の移動局を備えた通信システムにおいて、
前記端末は、地図情報を表示し、入力信号により当該地図情報内のエリアが指定されると、当該エリアに対応するエリア情報を生成し、前記サーバに当該エリア情報を送信し、
前記サーバは、前記端末から前記エリア情報を受信すると、前記エリアの少なくとも一部をカバーする基地局に移動局位置情報取得要求を送信し、
前記基地局は、前記サーバから前記移動局位置情報取得要求を受信すると、自局のカバーエリア内に位置する移動局に前記移動局位置情報取得要求を送信し、
前記移動局は、前記基地局から前記移動局位置情報取得要求を受信すると、自局の位置情報を取得して、前記基地局に当該位置情報を含む応答情報を送信し、
前記基地局は、前記移動局から前記応答情報を受信すると、当該応答情報を前記サーバに送信し、
前記サーバは、前記基地局から前記応答情報を受信すると、前記エリア情報と当該応答情報とに基づいて前記エリア内に位置する移動局の数を算出し、前記端末に当該移動局の数に関する情報を送信することを特徴とするものである。
【０００８】
第３の観点に係る発明は、第１又は第２の観点に係る通信システムにおいて、
前記サーバは、前記エリア情報に基づいて前記エリアを複数の領域に細分化し、前記応答情報に基づいて前記各領域内に位置する移動局の数をそれぞれ算出し、前記端末に当該各領域内に位置する移動局の数に関する情報を送信することを特徴とするものである。
【０００９】
上記目的を達成する第４の観点に係る通信システムの発明は、
端末、サーバ、複数の基地局、及び複数の移動局を備えた通信システムにおいて、
前記端末は、地図情報を表示し、入力信号により、当該地図情報内のエリア、移動局の数に関する情報の通知条件、及び当該移動局の数に関する情報の通知先が指定されると、当該エリアに対応するエリア情報を生成して、前記サーバに当該エリア情報、前記通知条件、及び前記通知先を送信し、
前記サーバは、前記端末から前記エリア情報、前記通知条件、及び前記通知先を受信すると、定期的に、前記エリア情報に対応するエリアの少なくとも一部をカバーする基地局に前記エリア情報を送信し、
前記基地局は、前記サーバから前記エリア情報を受信すると、自局のカバーエリア内に位置する移動局に前記エリア情報を送信し、
前記移動局は、前記基地局から前記エリア情報を受信すると、自局の位置情報を取得し、前記エリア情報と前記位置情報とに基づいて、自局が前記エリア内に位置すると判断した場合、前記基地局に応答情報を送信し、
前記基地局は、前記移動局から前記応答情報を受信すると、当該応答情報を前記サーバに送信し、
前記サーバは、前記基地局から前記応答情報を受信すると、当該応答情報に基づいて前記エリア内に位置する移動局の数を算出し、前記移動局の数に関する情報が前記通知条件を満たす場合に、前記通知先に当該移動局の数に関する情報を送信することを特徴とするものである。
【００１０】
上記目的を達成する第５の観点に係る通信システムの発明は、
端末、サーバ、複数の基地局、及び複数の移動局を備えた通信システムにおいて、
前記端末は、地図情報を表示し、入力信号により、当該地図情報内のエリア、移動局の数に関する情報の通知条件、及び当該移動局の数に関する情報の通知先が指定されると、当該エリアに対応するエリア情報を生成して、前記サーバに当該エリア情報、前記通知条件、及び前記通知先を送信し、
前記サーバは、前記端末から前記エリア情報、前記通知条件、及び前記通知先を受信すると、定期的に、前記エリア情報に対応するエリアの少なくとも一部をカバーする基地局に移動局位置情報取得要求を送信し、
前記基地局は、前記サーバから前記移動局位置情報取得要求を受信すると、自局のカバーエリア内に位置する移動局に前記移動局位置情報取得要求を送信し、
前記移動局は、前記基地局から前記移動局位置情報取得要求を受信すると、自局の位置情報を取得して、前記基地局に当該位置情報を含む応答情報を送信し、
前記基地局は、前記移動局から前記応答情報を受信すると、当該応答情報を前記サーバに送信し、
前記サーバは、前記基地局から前記応答情報を受信すると、当該応答情報に基づいて前記エリア内に位置する移動局の数を算出し、前記移動局の数に関する情報が前記通知条件を満たす場合に、前記通知先に当該移動局の数に関する情報を送信することを特徴とするものである。
【００１１】
第６の観点に係る発明は、第４又は第５の観点に係る通信システムにおいて、
前記サーバは、前記エリア情報に基づいて前記エリアを複数の領域に細分化し、前記応答情報に基づいて前記各領域内に位置する移動局の数をそれぞれ算出し、前記領域内に位置する移動局の数に関する情報が前記通知条件を満たす場合に、前記通知先に前記各領域内に位置する移動局の数に関する情報を送信することを特徴とするものである。
【００１２】
上記目的を達成する第７の観点に係る通信方法の発明は、
端末、サーバ、複数の基地局、及び複数の移動局を備えた通信システムにおける通信方法であって、
前記端末が、地図情報を表示し、入力信号により当該地図情報内のエリアが指定されると、当該エリアに対応するエリア情報を生成して、前記サーバに当該エリア情報を送信するステップと、
前記サーバが、前記端末から前記エリア情報を受信すると、前記エリアの少なくとも一部をカバーする基地局に前記エリア情報を送信するステップと、
前記基地局が、前記サーバから前記エリア情報を受信すると、自局のカバーエリア内に位置する移動局に前記エリア情報を送信するステップと、
前記移動局が、前記基地局から前記エリア情報を受信すると、自局の位置情報を取得し、前記エリア情報と前記位置情報とに基づいて、自局が前記エリア内に位置すると判断した場合、前記基地局に応答情報を送信するステップと、
前記基地局が、前記移動局から前記応答情報を受信すると、当該応答情報を前記サーバに送信するステップと、
前記サーバが、前記基地局から前記応答情報を受信すると、当該応答情報に基づいて前記エリア内に位置する移動局の数を算出し、前記端末に当該移動局の数に関する情報を送信するステップと、
を含むことを特徴とするものである。
【００１３】
上記目的を達成する第８の観点に係る通信方法の発明は、
端末、サーバ、複数の基地局、及び複数の移動局を備えた通信システムにおける通信方法であって、
前記端末が、地図情報を表示し、入力信号により当該地図情報内のエリアが指定されると、当該エリアに対応するエリア情報を生成し、前記サーバに当該エリア情報を送信するステップと、
前記サーバが、前記端末から前記エリア情報を受信すると、前記エリアの少なくとも一部をカバーする基地局に移動局位置情報取得要求を送信するステップと、
前記基地局が、前記サーバから前記移動局位置情報取得要求を受信すると、自局のカバーエリア内に位置する移動局に前記移動局位置情報取得要求を送信するステップと、
前記移動局が、前記基地局から前記移動局位置情報取得要求を受信すると、自局の位置情報を取得して、前記基地局に当該位置情報を含む応答情報送信するステップと、
前記基地局が、前記移動局から前記応答情報を受信すると、当該応答情報を前記サーバに送信するステップと、
前記サーバが、前記基地局から前記応答情報を受信すると、前記エリア情報と当該応答情報とに基づいて前記エリア内に位置する移動局の数を算出し、前記端末に当該移動局の数に関する情報を送信するステップと、
を含むことを特徴とするものである。
【００１４】
上記目的を達成する第９の観点に係る通信方法の発明は、
端末、サーバ、複数の基地局、及び複数の移動局を備えた通信システムにおける通信方法であって、
前記端末が、地図情報を表示し、入力信号により、当該地図情報内のエリア、移動局の数に関する情報の通知条件、及び当該移動局の数に関する情報の通知先が指定されると、当該エリアに対応するエリア情報を生成して、前記サーバに当該エリア情報、前記通知条件、及び前記通知先を送信するステップと、
前記サーバが、前記端末から前記エリア情報、前記通知条件、及び前記通知先を受信すると、定期的に、前記エリア情報に対応するエリアの少なくとも一部をカバーする基地局に前記エリア情報を送信するステップと、
前記基地局が、前記サーバから前記エリア情報を受信すると、自局のカバーエリア内に位置する移動局に前記エリア情報を送信するステップと、
前記移動局が、前記基地局から前記エリア情報を受信すると、自局の位置情報を取得し、前記エリア情報と前記位置情報とに基づいて、自局が前記エリア内に位置すると判断した場合、前記基地局に応答情報を送信するステップと、
前記基地局が、前記移動局から前記応答情報を受信すると、当該応答情報を前記サーバに送信するステップと、
前記サーバが、前記基地局から前記応答情報を受信すると、当該応答情報に基づいて前記エリア内に位置する移動局の数を算出し、前記移動局の数に関する情報が前記通知条件を満たす場合に、前記通知先に当該移動局の数に関する情報を送信するステップと、
を含むことを特徴とするものである。
【００１５】
上記目的を達成する第１０の観点に係る通信方法の発明は、
端末、サーバ、複数の基地局、及び複数の移動局を備えた通信システムにおける通信方法であって、
前記端末が、地図情報を表示し、入力信号により、当該地図情報内のエリア、移動局の数に関する情報の通知条件、及び当該移動局の数に関する情報の通知先が指定されると、当該エリアに対応するエリア情報を生成して、前記サーバに当該エリア情報、前記通知条件、及び前記通知先を送信するステップと、
前記サーバが、前記端末から前記エリア情報、前記通知条件、及び前記通知先を受信すると、定期的に、前記エリア情報に対応するエリアの少なくとも一部をカバーする基地局に移動局位置情報取得要求を送信するステップと、
前記基地局が、前記サーバから前記移動局位置情報取得要求を受信すると、自局のカバーエリア内に位置する移動局に前記移動局位置情報取得要求を送信するステップと、
前記移動局が、前記基地局から前記移動局位置情報取得要求を受信すると、自局の位置情報を取得して、前記基地局に当該位置情報を含む応答情報を送信するステップと、
前記基地局が、前記移動局から前記応答情報を受信すると、当該応答情報を前記サーバに送信するステップと、
前記サーバが、前記基地局から前記応答情報を受信すると、当該応答情報に基づいて前記エリア内に位置する移動局の数を算出し、前記移動局の数に関する情報が前記通知条件を満たす場合に、前記通知先に当該移動局の数に関する情報を送信するステップと、
を含むことを特徴とするものである。
【発明の効果】
【００１６】
本発明によれば、ユーザが指定する任意のエリアの混雑状況に関する情報を、ユーザに提供し得る通信システム及び通信方法を提供することができる。
【図面の簡単な説明】
【００１７】
【図１】第１実施の形態に係る通信システムの動作の説明図である。
【図２】図１の動作を示すフローチャートである。
【図３】図１の端末、コンテンツサーバ、携帯電話事業者サーバ、及び移動局の要部の構成を示す機能ブロック図である。
【図４】図１の動作において、端末の表示部に表示されるエリア指定画面の例を示す図である。
【図５】図１の動作におけるコンテンツサーバの処理を示すフローチャートである。
【図６】図５の処理の説明図である。
【図７】図５の処理の説明図である。
【図８】図１の動作において、端末の表示部に表示される測定結果表示画面の例を示す図である。
【図９】図１の動作における移動局の処理を示すフローチャートである。
【図１０】第２実施の形態に係る通信システムの動作の説明図である。
【図１１】図１０の動作におけるコンテンツサーバの処理を示すフローチャートである。
【発明を実施するための形態】
【００１８】
以下、本発明の実施の形態について、図面を参照して説明する。
【００１９】
（第１実施の形態）
図１〜図９は、本発明の第１実施の形態を示すものである。まず、図１及び図２を参照して、第１実施の形態に係る通信システム１の概要を説明する。図１は第１実施の形態に係る通信システムの動作の説明図であり、図２は図１の動作を示すフローチャートである。通信システム１は、ユーザが指定する任意のエリアＸ内に位置する移動局数を測定し、その測定結果に基づいて、エリアＸの混雑状況に関する情報（移動局の数に関する情報）をユーザに提供するものである。
【００２０】
通信システム１は、端末１０と、コンテンツサーバ２０と、携帯電話事業者サーバ４０と、基地局６０と、移動局７０ａ、７０ｂとを備える。端末１０は、例えば携帯電話端末、車載器、パソコン等で構成され、コンテンツサーバ２０と無線又は有線で通信する。コンテンツサーバ２０は、携帯電話事業者サーバ４０に対してインターネット３０を介して接続されている。携帯電話事業者サーバ４０は、基地局６０と事業者コアネットワーク５０を介して接続されている。移動局７０ａ、７０ｂは、携帯電話端末で構成され、基地局６０と無線で通信する。
【００２１】
まず、端末１０は、表示部に地図情報を表示し、ユーザからの入力により地図情報内の任意のエリアＸが指定されると、エリアＸに対応するエリア情報を生成し、エリア情報をコンテンツサーバ２０に送信する（ステップＳ１）。コンテンツサーバ２０は、端末１０から受信するエリア情報に基づいて、エリアＸの座標（緯度、経度）情報を算出し（ステップＳ２）、携帯電話事業者サーバ４０に送信する（ステップＳ３）。携帯電話事業者サーバ４０は、コンテンツサーバ２０から受信するエリアＸの座標情報（エリア情報）に基づき、エリアＸの全部又は一部をカバーする１つ又は複数の基地局６０を検索し（ステップＳ４）、当該各基地局６０に対してエリアＸの座標情報を送信する（ステップＳ５）。携帯電話事業者サーバ４０からエリアＸの座標情報を受信した基地局６０は、自局のカバーエリア６１内に位置する移動局７０ａ、７０ｂに対して、エリアＸの座標情報を転送する（ステップＳ６）。
【００２２】
基地局６０からエリアＸの座標情報を受信した移動局７０ａ、７０ｂは、それぞれ自局の位置情報を取得し（ステップＳ７）、エリアＸの座標情報と比較して自局がエリアＸの内側に位置するか否かを判断する（ステップＳ８）。エリアＸの内側に位置すると判断した移動局７０ａは、自局の位置情報を含む応答情報を基地局６０に送信する（ステップＳ９）。一方、エリアＸの外側に位置すると判断した移動局７０ｂは、基地局６０に応答情報を送信しない。基地局６０は、移動局７０ａから受信する応答情報を、携帯電話事業者サーバ４０に転送し（ステップＳ１０）、携帯電話事業者サーバ４０は、基地局６０から受信する応答情報を、コンテンツサーバ２０に転送する（ステップＳ１１）。コンテンツサーバ２０は、このようにして複数の移動局７０aからの応答情報を収集し、収集した応答情報に基づいてエリアＸ内の移動局数を算出し、算出した移動局数に基づいて後述する方法で色情報やグラフ情報等の可視情報（移動局の数に関する情報）を生成し（ステップＳ１２）、端末１０に送信する（ステップＳ１３）。端末１０は、コンテンツサーバ２０から受信する可視情報を、移動局数の測定結果として表示部に表示する。端末１０のユーザは、端末１０の表示部に表示される測定結果を見ることにより、エリアＸ内の混雑状況を把握する。
【００２３】
次に、図３を参照して、第１実施の形態に係る通信システム１を構成する端末１０、コンテンツサーバ２０、携帯電話事業者サーバ４０、及び移動局７０ａ、７０ｂの構成を説明する。図３（ａ）〜（ｄ）は、それぞれ端末１０、コンテンツサーバ２０、携帯電話事業者サーバ４０、及び移動局７０ａ、７０ｂの要部の構成を示す機能ブロック図である。なお、移動局７０ａ、７０ｂは、同様の構成とすることができるので、図３では移動局７０として示す。
【００２４】
図３（ａ）において、端末１０は、入力部１０１、送受信部１０２、制御部１０３、記憶部１０４、表示部１０５、及び表示制御部１０６を備える。
【００２５】
入力部１０１は、例えばタッチセンサ、キー、マウスなどで構成する。ここで、タッチセンサとは、表示部１０５の前面に配置され、ユーザの指等がタッチセンサのタッチ面に接触すると、タッチ面に対する接触入力の位置を測定するものであり、例えば抵抗膜方式、静電容量方式、光学式等のタッチパネルやタッチスイッチ等で構成される。
【００２６】
送受信部１０２は、コンテンツサーバ２０との間で無線又は有線により信号の送受信を行う。
【００２７】
制御部１０３は、図示しない中央処理装置（ＣＰＵ）が記憶部１０４に記憶されたプログラムを実行することにより実現される。制御部１０３は、入力部１０１、送受信部１０２、記憶部１０４、表示部１０５、及び表示制御部１０６を含む端末１０の全体を制御する。また、制御部１０３は、エリア指定部１１０の機能を有する。エリア指定部１１０は、記憶部１０４に記憶された地図情報を、表示制御部１０６により表示部１０５に表示させるとともに、ユーザが入力部１０１を操作して当該地図情報内の任意のエリアＸを指定すると、エリアＸに対応するエリア情報を生成する。
【００２８】
表示部１０５は、表示制御部１０６による制御に従って、ユーザがエリアＸを指定するためのエリア指定画面（図４）や、エリアＸ内の移動局数の測定結果を表示するための測定結果表示画面（図８）などを表示する。
【００２９】
図３（ｂ）において、コンテンツサーバ２０は、送受信部２０１、制御部２０２、及び記憶部２０３を備える。
【００３０】
送受信部２０１は、端末１０との間で無線又は有線により信号の送受信を行うとともに、携帯電話事業者サーバ４０との間でインターネット３０を介して信号の送受信を行う。
【００３１】
制御部２０２は、図示しないＣＰＵが記憶部２０３に記憶されたプログラムを実行することにより実現される。制御部２０２は、送受信部２０１及び記憶部２０３を含むコンテンツサーバ２０の全体を制御する。また、制御部２０２は、座標算出部２１０及び移動局数算出部２１１の機能を有する。座標算出部２１０は、端末１０から受信するエリア情報に基づいて、エリアＸの座標（緯度、経度）情報を算出する。移動局数算出部２１１は、エリアＸの座標情報と複数の移動局７０から収集する位置情報とに基づいて、エリアＸ内の移動局数を算出する。
【００３２】
記憶部２０３は、ＣＰＵにより実行されるプログラムや、複数の移動局７０から送信される位置情報などを蓄積する。
【００３３】
図３（ｃ）において、携帯電話事業者サーバ４０は、送受信部４０１、制御部４０２、及び記憶部４０３を備える。
【００３４】
送受信部４０１は、コンテンツサーバ２０との間でインターネット３０を介して信号の送受信を行うとともに、基地局６０との間で事業者コアネットワーク５０を介して信号の送受信を行う。
【００３５】
制御部４０２は、図示しないＣＰＵが記憶部４０３に記憶されたプログラムを実行することにより実現される。制御部４０２は、送受信部４０１及び記憶部４０３を含む携帯電話事業者サーバ４０の全体を制御する。また、制御部４０２は、基地局検索部４１０の機能を有する。基地局検索部４１０は、コンテンツサーバ２０から受信するエリアＸの座標情報に基づき、エリアＸの全部又は一部をカバーする１つ又は複数の基地局６０を検索する。
【００３６】
図３（ｄ）において、移動局７０は、送受信部７０１、制御部７０２、記憶部７０３、及び位置情報取得部７０４を備える。
【００３７】
送受信部７０１は、基地局６０との間で無線により信号の送受信を行う。
【００３８】
制御部７０２は、図示しないＣＰＵが記憶部７０３に記憶されたプログラムを実行することにより実現される。制御部７０２は、送受信部７０１、記憶部７０３、及び位置情報取得部７０４を含む移動局７０の全体を制御する。また、制御部７０２は、比較部７１０の機能を有する。比較部７１０は、位置情報取得部７０４が取得する位置情報と基地局６０から受信するエリアＸの座標情報とを比較し、自局がエリアＸの内側に位置するか否かを判断する。
【００３９】
位置情報取得部７０４は、例えば準天頂衛星システム（ＱＺＳＳ：Quasi-Zenith Satellite System）又は全地球測位システム（ＧＰＳ：Global Positioning System）からの電波を受信することにより、自局の位置（緯度、経度）情報を取得する。
【００４０】
次に、図４及び図８を参照して、端末１０の動作について更に詳細に説明する。図４は、図１のステップＳ１において端末１０の表示部１０５に表示されるエリア指定画面の例を示す図である。図８は、図１のステップＳ１３において端末１０の表示部１０５に表示される測定結果表示画面の例を示す図である。まず、制御部１０３は、表示制御部１０６により表示部１０５にエリア指定画面（図４）を表示させる。エリア指定画面では、地図情報が表示され、ユーザが入力部１０１を操作して地図情報内の任意のエリアＸを指定することができる。この例では、入力部１０１がタッチセンサで構成されており、ユーザは表示部１０５上に指等を滑らせて、長方形のエリアＸの左上頂点Ｘ１及び右下頂点Ｘ４を指定することにより、エリアＸを指定することができる。
【００４１】
図４の例の他に、入力部１０１がマウスで構成される場合、ユーザはマウスを操作して、任意形状のエリアＸを指定することができる。さらに他の例として、入力部１０１がキーで構成される場合、ユーザは任意の住所を入力して、エリアＸを指定することができる。
【００４２】
次に、エリア指定部１１０は、エリアＸに対応するエリア情報を生成する。端末１０は、エリア情報をコンテンツサーバ２０に送信し、その後、コンテンツサーバ２０から移動局数の測定結果として可視情報を受信する。制御部１０３は、コンテンツサーバ２０から受信する可視情報に基づいて、表示制御部１０６により表示部１０５に測定結果表示画面（図８）を表示させる。測定結果表示画面には、地図情報上にエリアＸが表示されるとともに、エリアＸ内の複数の領域のそれぞれにおける移動局密度（移動局数／領域の面積）が、予め対応付けられた色情報又はグラフ情報等で表わされる。図８の例では、エリアＸは１２領域を有し、各領域の移動局密度がそれぞれ対応する色情報で表されている。測定結果表示画面を見たユーザは、エリアＸ内の混雑状況を直感的に把握することができる。
【００４３】
次に、図５〜図８を参照して、コンテンツサーバ２０の動作について更に詳細に説明する。図５はコンテンツサーバ２０の処理を示すフローチャートであり、図６及び図７は図５の処理の説明図である。まず、コンテンツサーバ２０の送受信部２０１が端末１０からエリア情報を受信すると（ステップＳ３１、Ｙｅｓ）、座標算出部２１０は、エリア情報に基づいて、エリアＸを特定する座標（緯度、経度）情報を算出する（ステップＳ３２）。例えば、図４に示す長方形のエリアＸの場合、４つの頂点Ｘ１、Ｘ２、Ｘ３、Ｘ４の座標を求める。その後、制御部２０２は、送受信部２０１により、エリアＸの座標情報を携帯電話事業者サーバ４０に送信し（ステップＳ３３）、所定時間Ｔに設定されたタイマを開始する（ステップＳ３４）。
【００４４】
次に、コンテンツサーバ２０の移動局数算出部２１１は、エリアＸを所定の方式で複数の領域に細分化する（ステップＳ３５）。細分化の方式（領域の数、寸法、形状など）は、コンテンツサーバ２０に予め設定されてもよいし、予めユーザに端末１０上で設定させてコンテンツサーバ２０に送信するようにしてもよい。図４の例では、４００ｍ×３００ｍのエリアＸを、図６に示すように１２個の１００ｍ×１００ｍの領域に等分割している。
【００４５】
次に、移動局数算出部２１１は、携帯電話事業者サーバ４０から応答情報を受信したか否かを判断し（ステップＳ３６）、応答情報を受信していない場合は（ステップＳ３６、Ｎｏ）、後述するステップＳ３９に移行する。一方、応答情報を受信した場合（ステップＳ３６、Ｙｅｓ）、移動局数算出部２１１は、応答情報に含まれる移動局７０の位置情報に基づき、当該移動局７０がエリアＸのどの領域内に位置するかを特定し（ステップＳ３７）、特定した領域のカウント値に+１を加算し（ステップＳ３８）、ステップＳ３９に移行する。
【００４６】
ステップＳ３９では、タイマがタイムアウトになったか否かを判断し（ステップＳ３９）、タイムアウトになっていなければ（ステップＳ３９、Ｎｏ）、ステップＳ３６に戻って他の応答情報を受信したか否かを判断する。このようにして、制御部２０２は、所定時間Ｔ内に受信する各応答情報に基づいて、図７に示すように、エリアＸの各領域内に位置する移動局７０の数をそれぞれ求める。
【００４７】
一方、タイマがタイムアウトになった場合（ステップＳ３９、Ｙｅｓ）、制御部２０２は、エリアＸ内の移動局数に基づいて可視情報を生成する（ステップＳ４０）。具体的には、エリアＸの各領域における移動局数のカウント値（図７）に基づいて、各領域の移動局密度を算出し、各領域の移動局密度をそれぞれ予め対応付けられた可視情報に変換する（図８）。その後、制御部２０２は、送受信部２０１により、各領域に対する可視情報を移動局数の測定結果（移動局の数に関する情報）として端末１０に送信し（ステップＳ４１）、処理を終了する。
【００４８】
次に、図９を参照して、移動局７０の動作について更に詳細に説明する。図９は、移動局７０の処理を示すフローチャートである。まず、移動局７０の制御部７０２は、基地局６０からエリアＸの座標情報を受信すると（ステップＳ５１、Ｙｅｓ）、位置情報取得部７０４により自局の位置情報を取得する（ステップＳ５２）。
【００４９】
次に、比較部７１０は、自局の位置情報とエリアＸの座標情報とを比較して（ステップＳ５３）、自局がエリアＸの外側に位置する場合は（ステップＳ５４、Ｎｏ）、そのまま処理を終了する。一方、自局がエリアＸの内側に位置する場合は（ステップＳ５４、Ｙｅｓ）、送受信部７０１により、自局の位置情報を含む応答情報を基地局６０に送信し（ステップＳ５５）、処理を終了する。このように、エリアＸの座標情報を受信した移動局７０a、７０ｂのうち、エリアＸの内側に位置する移動局７０aだけが応答情報を返すようにすることにより、エリアＸの外側に位置する移動局７０ｂの電力消費を抑えることができる。
【００５０】
第１実施の形態によれば、ユーザが指定する任意のエリア内の混雑状況に関する情報を、ユーザに提供することができる。
【００５１】
また、移動局数を測定する際に、ユーザが指定するエリア内の移動局のみから位置情報を取得し、当該エリア外の移動局から位置情報を取得しないので、当該エリア外の移動局の電力を無駄に消費することがなく、効率的に指定エリアの混雑状況に関する情報を提供することができる。
【００５２】
また、指定エリア内の各移動局から取得した位置情報をそのまま端末のユーザに開示するのではなく、当該位置情報から移動局数や移動局密度を算出した上でユーザに提供するので、移動局所有者の個人情報を保護することができる。
【００５３】
また、指定エリアの移動局数の測定結果を、色情報やグラフ情報などの可視情報により端末上に表示させるので、ユーザは直感的に当該エリアの混雑状況を把握することができる。
【００５４】
また、指定エリアを複数の領域に細分化して、各領域について移動局数を測定するので、ユーザはより詳細に当該エリアの混雑状況を把握することができる。
【００５５】
（第２実施の形態）
図１０〜図１１を参照して、本発明の第２実施の形態を説明する。第１実施の形態に係る通信システム１は、端末１０のユーザがエリアを指定すると、当該エリアの移動局数の測定を行い、測定結果をユーザに提供するものである。一方、第２実施の形態に係る通信システム１は、周期的に、予めユーザにより指定されたエリアの移動局数の測定を行い、測定結果が所定の条件を満たしたときだけユーザに測定結果を通知するものである。なお、第２実施の形態に係る通信システム１の構成は、基本的に第１実施の形態と同様である。
【００５６】
図１０（ａ）及び図１０（ｂ）は、第２実施の形態に係る通信システムの動作の説明図である。図１０（ａ）に示すように、まず、端末１０は、ユーザの入力に応じて動作パラメータを設定し、設定した動作パラメータをコンテンツサーバ２０に送信する。コンテンツサーバ２０は、端末１０から動作パラメータを受信すると、これを記憶部２０３に記憶する。動作パラメータは、例えば、（ｉ）エリア情報、（ｉｉ）測定周期、（ｉｉｉ）通知条件、（ｉｖ）通知先、（ｖ）周期監視開始条件、及び（ｖｉ）周期監視終了条件を含む。
【００５７】
なお、コンテンツサーバ２０は、「（ｉ）エリア情報」をそのまま記憶部２０３に記憶してもよいし、エリアＸの座標情報に変換して、当該座標情報を記憶部２０３に記憶してもよい。「（ｉｉｉ）通知条件」とは、移動局数の測定結果がどのような変化をした場合にユーザに通知するかについての条件であり、例えば移動局数／移動局密度が所定値を越えた場合や、前回測定時からの移動局数／移動局密度の変化量が所定値を越えた場合などである。「（ｉｖ）通知先」は、例えばユーザのメールアドレスや端末１０の識別情報などである。「（ｖ）周期監視開始条件」とは、周期的な測定を開始するための条件であり、例えば「（ｉｉ）測定周期」が終了した時などと設定される。「（ｖｉ）周期監視終了条件」とは、周期的な測定を終了するための条件であり、例えば日時で設定される。
【００５８】
図１０（ｂ）は、「（ｉ）エリアの情報」としてユーザの最寄駅Ｂ周辺のエリアが設定され、「（ｉｉ）測定周期」が３０分間と設定され、「（ｉｉｉ）通知条件」が「移動局密度が８０人／１００ｍ２を越えた場合」と設定され、「（ｉｖ）通知先」としてユーザのメールアドレスが登録された例を示している。この例では、１回目の測定時（００：００）に１１台／１００ｍ２が測定され、２回目の測定時（００：３０）に６台／１００ｍ２が測定され、３回目の測定時（０１：００）に９８台／１００ｍ２が測定された。この場合、３回目の測定時に「（ｉｉｉ）通知条件」を満たしたので、ユーザに対してその旨がメールで通知される。これにより、ユーザは、最寄駅Ｂの周辺が急に混雑したことを知り、そこで何らかのイベントや交通事故などが発生したことを推測することができる。
【００５９】
図１１は、図１０の動作におけるコンテンツサーバ２０の処理を示すフローチャートである。まず、コンテンツサーバ２０の移動局数算出部２１１は、「（ｉｉ）測定周期」として設定された周期が終了すると（ステップＳ６１、Ｙｅｓ）、エリアＸ内の移動局数を測定する（ステップＳ６２）。ステップＳ６２における測定処理は、第１実施の形態において説明した図１のステップＳ３〜ステップＳ１２と同様に行うことができる。
【００６０】
エリアＸ内の移動局数の測定後、制御部２０２は、「（ｉｉｉ）通知条件」として設定された条件を満たさない場合（ステップＳ６３、Ｎｏ）、ステップＳ６１に戻る。一方、通知条件を満たす場合（ステップＳ６３、Ｙｅｓ）、制御部２０２は、送受信部２０１により、「（ｉｖ）通知先」として設定された通知先に測定結果を通知する（ステップＳ６４）。その後、制御部２０２は、周期監視終了条件を満たしていない場合（ステップＳ６５、Ｎｏ）、ステップＳ６１に戻る。一方、周期監視終了条件を満たしている場合は（ステップＳ６５、Ｙｅｓ）、処理を終了する。
【００６１】
第２実施の形態によれば、ユーザが予め設定した動作パラメータに従って、定期的に指定エリアの移動局数を測定し、測定結果が所定の条件を満たしたときにだけその情報をユーザに提供することができる。これによって、ユーザは、自ら調べることなく、当該エリアで何らかのイベントや交通事故などが発生したことを推測することができる。
【００６２】
なお、本発明は、上述した実施の形態にのみ限定されるものではなく、幾多の変形または変更が可能である。例えば、上述した実施の形態では、移動局７０に比較部７１０を設けたが、代わりにコンテンツサーバ２０に比較部７１０を設けてもよい。この場合、図１のステップＳ５において、携帯電話事業者サーバ４０は、エリアＸの全部又は一部をカバーする各基地局６０に対して、エリアＸの座標情報の代わりに移動局位置情報取得要求を送信する。その後、移動局７０は、基地局６０から移動局位置情報取得要求を受信すると、図１のステップＳ９において、自局の位置情報を含む応答情報を基地局６０に送信する。その後、コンテンツサーバ２０の比較部７１０は、図１のステップＳ１２において、エリアＸの座標情報と複数の移動局７０から収集した応答情報とに基づいて、エリアＸ内の移動局数を算出する。この変形例によれば、ユーザが指定するエリアの全部又は一部をカバーする基地局のカバーエリア内の移動局のみから位置情報を取得し、当該カバーエリア外の移動局から位置情報を取得しないので、当該カバーエリア外の移動局の電力消費を抑えることができる。
【００６３】
また、端末１０を移動局や車載器などの無線通信端末で構成する場合、端末１０は、図示しない基地局を介してコンテンツサーバ２０と通信してもよい。
【００６４】
また、上述した実施の形態では、端末１０と基地局６０とが、コンテンツサーバ２０と携帯電話事業者サーバ４０との２つのサーバを介して通信するが、これらのサーバの機能を１つのサーバに集約してもよいし、３つ以上のサーバに分散させてもよい。
【００６５】
また、上述した実施の形態では、エリアＸの各領域について、移動局数に基づいて移動局密度を算出し、移動局密度を可視情報に変換してユーザに提供するが、これに限られない。例えば、各領域について、移動局数をそのまま可視情報に変換してユーザに提供してもよいし、可視情報以外の情報（例えば、音声情報）に変換してユーザに提供してもよい。
【００６６】
また、上述した実施の形態では、エリアＸを複数の領域に細分化して各領域の移動局数を測定したが、この細分化処理を省略してエリアＸ全体の移動局数を測定するようにしてもよい。この場合、図１のステップＳ９においてエリアＸの内側に位置すると判断した移動局７０ａが基地局６０に応答情報を送信する際には、当該応答情報に移動局７０ａの位置情報を含めなくてもよい。
【符号の説明】
【００６７】
１  通信システム
１０  端末
２０  コンテンツサーバ（サーバ）
３０  インターネット
４０  携帯電話事業者サーバ（サーバ）
５０  事業者コアネットワーク
６０  基地局
６１  基地局カバーエリア
７０ａ、７０ｂ、７０  移動局
８０  ＱＺＳＳ
１０１  入力部
１０２、２０１、４０１、７０１  送受信部
１０３、２０２、４０２、７０２  制御部
１１０  エリア指定部
１０４、２０３、４０３、７０３  記憶部
１０５  表示部
１０６  表示制御部
２１０  座標算出部
２１１  移動局数算出部
４１０  基地局検索部
７１０  比較部
Ｘ  エリア
【図１】
2013176012.tif 000003
【図２】
2013176012.tif 000004
【図３】
2013176012.tif 000005
【図４】
2013176012.tif 000006
【図５】
2013176012.tif 000007
【図６】
2013176012.tif 000008
【図７】
2013176012.tif 000009
【図８】
2013176012.tif 000010
【図９】
2013176012.tif 000011
【図１０】
2013176012.tif 000012
【図１１】
2013176012.tif 000013